(57)【要約】【課題】取引がロックされた媒体に対して、現金取引装置からロックを解除できる。【解決手段】本発明の現金取引装置は、利用に際して媒体を挿入する媒体挿入取出口と、取引に関する情報を表示する画面表示部と、パスワードを入力する入力部と、当該入力部で入力されるパスワードの誤入力回数が限度を超えたとき取引をロックする制御部とを備え、前記制御部が、前記パスワードの誤入力回数が限度を超えてしまって取引がロックされた前記媒体に対して、一定額の入金を条件に取引のロックを解除する。取引ロック解除方法は、その特徴部分が前記現金取引装置と同様である。【選択図】      図４
2014139746.tif 000002
【特許請求の範囲】
【請求項１】
利用に際して媒体を挿入する媒体挿入取出口と、
取引に関する情報を表示する画面表示部と、
パスワードを入力する入力部と、
当該入力部で入力されるパスワードの誤入力回数が限度を超えたとき取引をロックする制御部とを備え、
前記制御部が、前記パスワードの誤入力回数が限度を超えてしまって取引がロックされた前記媒体に対して、一定額の入金を条件に取引のロックを解除することを特徴とする現金取引装置。
【請求項２】
請求項１に記載の現金取引装置において、
前記制御部が、前記媒体の取引のロックを解除する際に、前記入金の額を、取引ロック解除回数に応じて増額することを特徴とする現金取引装置。
【請求項３】
請求項１に記載の現金取引装置において、
前記制御部が、前記パスワードの誤入力回数が限度を超えた際に、１回目のロックのとき出金の取引をロックする第１処理と、２回目のロックのとき出金と振込の取引をロックする第２処理と、３回以上のロックのとき全ての取引をロックして一定額の入金を促す表示をする第３処理の各処理機能を備えたことを特徴とする現金取引装置。
【請求項４】
請求項３に記載の現金取引装置において、
前記制御部が、出金の取引をロックする際又は出金と振込の取引をロックする際に、ロック解除してパスワードの再入力を受け付けることを特徴とする現金取引装置。
【請求項５】
請求項３に記載の現金取引装置において、
前記制御部が、前記ロックの回数として、１取引内でのロックの回数を用い、又は１取引内でのロックの回数と共に過去のロックの回数を用いることを特徴とする現金取引装置。
【請求項６】
請求項１乃至４のいずれか1項に記載の現金取引装置において、
前記制御部が、記録された前記ロックの回数を解除したいときは担当窓口へ行くように前記画面表示部に表示することを特徴とする現金取引装置。
【請求項７】
請求項１乃至４のいずれか1項に記載の現金取引装置において、
前記制御部が、前記パスワードの誤入力回数が限度を超えた際に、管理部に報知する警報機能を備えたことを特徴とする現金取引装置。
【請求項８】
利用に際して媒体を挿入する媒体挿入取出口と、取引に関する情報を表示する画面表示部と、パスワードを入力する入力部と、当該入力部で入力されるパスワードの誤入力回数が限度を超えたとき取引をロックする制御部とを備えた取引ロック解除方法であって、
前記パスワードの誤入力回数が限度を超えてしまい前記制御部によって取引がロックされた前記媒体に対して、一定額の入金を条件に取引のロックを解除することを特徴とする取引ロック解除方法。
【請求項９】
請求項８に記載の取引ロック解除方法において、
前記媒体の取引のロックを解除する際に、前記入金の額を、取引ロック解除回数に応じて増額することを特徴とする取引ロック解除方法。
【請求項１０】
請求項８に記載の取引ロック解除方法において、
前記制御部が、前記パスワードの誤入力回数が限度を超えた際に、１回目のロックのとき出金の取引をロックする第１処理と、２回目のロックのとき出金と振込の取引をロックする第２処理と、３回以上のロックのとき全ての取引をロックして一定額の入金を促す表示をする第３処理の各処理機能を備えたことを特徴とする取引ロック解除方法。
【請求項１１】
請求項１０に記載の取引ロック解除方法において、
前記制御部が、出金の取引をロックする際又は出金と振込の取引をロックする際に、ロック解除してパスワードの再入力を受け付けることを特徴とする取引ロック解除方法。
【請求項１２】
請求項１０に記載の取引ロック解除方法において、
前記制御部が、前記ロックの回数として、１取引内でのロックの回数を用い、又は１取引内でのロックの回数と共に過去のロックの回数を用いることを特徴とする取引ロック解除方法。
【請求項１３】
請求項８乃至    のいずれか1項に記載の取引ロック解除方法において、
前記制御部が、記録された前記ロックの回数を解除したいときは担当窓口へ行くように前記画面表示部に表示することを特徴とする取引ロック解除方法。
【請求項１４】
請求項８乃至    のいずれか1項に記載の取引ロック解除方法において、
前記制御部が、前記パスワードの誤入力回数が限度を超えた際に、管理部に報知することを特徴とする取引ロック解除方法。
【発明の詳細な説明】
【技術分野】
【０００１】
この発明は、ＡＴＭ等の現金取引装置の利用の際に暗証番号の誤入力により、取引がロックしたときに、取引のロックを解除する機能を備えた現金取引装置及び取引ロック解除方法に関するものである。
【背景技術】
【０００２】
従来、暗証番号の誤入力により口座にロックが掛かってカード利用停止になってしまった場合は、銀行の窓口に行って解除をしなければならなかった。
【０００３】
また、暗証番号の誤入力に対応するシステムとして特許文献１の発明が提案されている。この特許文献１では、取引を実施してから暗証番号の入力の限度回数を超えた場合、予め登録しておいた通知先に通知が行き、一定時間内に応答がない場合は取引中止となっていた。
【先行技術文献】
【特許文献】
【０００４】
【特許文献１】特開２０１０−４９４３５号公報
【発明の概要】
【発明が解決しようとする課題】
【０００５】
しかしながら、暗証番号の誤入力により、取引が出来なくなってしまうと、顧客は銀行の窓口に行かなければならず、取引のロックを解除するために、煩わしい手間をかけなければならなかった。
【０００６】
また、上記先行文献では、予め登録しておいた通知先に通知が行くため、ＡＴＭ単体では取引のロックを解除することができなかった。
【課題を解決するための手段】
【０００７】
本発明の現金取引装置は、利用に際して媒体を挿入する媒体挿入取出口と、取引に関する情報を表示する画面表示部と、パスワードを入力する入力部と、当該入力部で入力されるパスワードの誤入力回数が限度を超えたとき取引をロックする制御部とを備え、前記制御部が、前記パスワードの誤入力回数が限度を超えてしまって取引がロックされた前記媒体に対して、一定額の入金を条件に取引のロックを解除することを特徴とする。取引ロック解除方法は、その特徴部分が前記現金取引装置と同様である。
【発明の効果】
【０００８】
上記構成により、取引がロックされた媒体に対して、現金取引装置からロックを解除できる。
【図面の簡単な説明】
【０００９】
【図１】本発明の第１実施形態に係るＡＴＭの全体構成を概略的に示す外観図である。
【図２】図１のＡＴＭの機能ブロック図である。
【図３】本発明の第１実施形態に係るＡＴＭの中の入力操作部上に表示される取引選択画面例を示す図である。
【図４】本発明の第１実施形態に係る現金取引装置の制御部の処理機能を示すフローチャートである。
【図５】本発明の第２実施形態に係る現金取引装置の制御部の処理機能を示すフローチャートである。
【図６】本発明の第３実施形態に係る現金取引装置の制御部の処理機能を示すフローチャートである。
【発明を実施するための形態】
【００１０】
以下、本発明の実施形態に係る現金取引装置及び取引ロック解除方法について説明する。
【００１１】
[第１実施形態]
本発明の取引ロック解除方法は、現金取引装置に組み込まれるものである。この現金取引装置はＡＴＭ等である。本発明の取引ロック解除方法は、すべてのＡＴＭ等の現金取引装置に組み込むことができるが、以下では、その一例として特許文献１と同様のＡＴＭを例に説明する。
【００１２】
まず、図１に基づいてＡＴＭの全体構成を概説する。図１は、本発明の第１実施形態に係るＡＴＭの全体構成を概略的に示す外観図である。なお、本実施形態では、パスワードとして暗証番号を用いる。この暗証番号は、顧客の所持する媒体としてのＩＣカードに記憶されている。
【００１３】
本実施形態のＡＴＭ１は、銀行の店舗、コンビニエンスストア等に設置され、顧客自身の操作により、現金の預け入れ、現金の引き出し、振り込み、残高照会、通帳記入等の取引を行うためのものである。ＡＴＭ１の前面には、顧客が操作するための操作面２ａと、この操作面２ａの奥方向に操作面２ａから連続して設置された投入面２ｂと、この投入面２ｂに連続して設置された挿入面２ｃとを備えている。
【００１４】
前記操作面２ａには、操作のためのガイダンスを表示し、各種取引のための入力を行う入力操作部３が設けられている。投入面２ｂには、入出金取引等、現金を扱う取引で使用する紙幣投入取出口４と硬貨投入取出口５が設けられている。挿入面２ｃには、通帳挿入取出口６、媒体挿入取出口としてのカード挿入取出口７及びスピーカ８が設けられている。利用に際しては、カードをカード挿入取出口７に挿入する。
【００１５】
図２は、図１のＡＴＭの機能ブロック図である。ＡＴＭ１は、中央処理装置（以下「ＣＰＵ」という。）、主記憶装置（以下「ＭＥＭ」という。）及びハードディスク等の不揮発性の補助記憶装置（以下「ＨＤＤ」という。）２１等からなる制御部１１を有している。制御部１１は、プログラム制御によりＡＴＭ１全体を制御するものである。入力操作部３は、文字や図形等で構成される操作画面を表示するＬＣＤ画面表示部１２と、表示部１２上に設けられた情報入力のためのタッチパネル入力部１３とを有している。このタッチパネル入力部１３からパスワードを入力する。ＬＣＤ画面表示部１２は、取引内容、指示、案内等の取引に関する情報を表示する画面表示部である。通帳記帳部１４は、通帳の記帳処理を行うものである。カードリーダ・ライタ部１５は、カードの内容の読み取り書き込みを行うものである。紙幣入出金部１６は、紙幣の真贋を鑑別し、計数し、入出金処理を行うものである。硬貨入出金部１７は、硬貨の真贋を鑑別し、計数し、入出金処理を行うものである。近接センサ１８は、ＡＴＭ１への人の接近を検知するセンサである。通信制御部１９は、ホストコンピュータ、インターネット及び移動体通信網との通信を制御する機能を有している。音声案内部２０は、顧客に対する各種案内及び連絡をスピーカ８又は電話機に対し音声で出力するものである。タイマ部２２は、日付や時刻、時間の管理を行うものである。
【００１６】
さらに、制御部１１は、図４に示す処理機能を備えている。具体的には、制御部１１は、タッチパネル入力部１３で入力されるパスワードである暗証番号の誤入力回数が限度を超えたとき取引をロックする処理機能を備えている。さらにこの制御部１１は、前記パスワードの誤入力回数が限度を超えてしまって取引がロックされた前記ＩＣカードに対して、一定額の入金を条件に取引のロックを解除する処理機能を備えている。
【００１７】
（ＡＴＭの全体動作）
図３は、図１、２中の入力操作部３上に表示される取引選択画面例を示す図である。
【００１８】
先ず、図２及び図３を用いて、引き出し取引を例にＡＴＭ１全体の動作を説明する。顧客がＡＴＭ１に接近すると、近接センサ１８が顧客を検知し、入力操作部３に電源が投入される。電源が投入されると入力操作部３に、図３の取引選択画面が表示される。図３に示すとおり、お預入れ、お引き出し、お振り込み、残高照会、通帳記入及び暗証番号入力回数制限変更の各取引ボタン３ａが入力操作部３にグラフィック表示され、顧客による取引の選択を促す。顧客がこれらのボタンの１つを選択し、押下することにより、該当する取引が開始される。
【００１９】
例えば、顧客が自口座から現金を引き出すときは、お引き出しボタン（以下単に「引き出しボタン」という）３ａを押下する。引き出しボタン３ａの押下により、引き出し取引が開始され、通帳及びカードの插入を促すメッセージが操作画面に表示される。通帳が、通帳挿入取出口６に挿入されると、通帳記帳部１４はこれを取り込み、記帳の準備を行う。カード挿入取出口７にカードが挿入されると、カードリーダ・ライタ部１５は、カードの記憶内容を読み取り、主制御装置１１内のＭＥＭに記憶する。カードには、金融機関コードや顧客の口座番号、氏名等の顧客情報が記憶されている。
【００２０】
入力操作部３には、暗証番号を入力するための操作画面が表示される。この操作画面を用いて、顧客により暗証番号が入力される。顧客により暗証番号が入力されると、口座番号、暗証番号等が主制御部１１で編集され、通信制御部１９を経由して、ホストコンピュータに送信される。ホストコンピュータでは、ＡＴＭ１からの電文を受信すると、受信した口座番号に対応する当該顧客の口座ファイルから口座情報を読み出し、受信した暗証番号とホストコンピュータが保持している暗証番号とが一致するかチェックする。
【００２１】
暗証番号が不一致のときは、ホストコンピュータは、その旨をＡＴＭ１に送信する。ＡＴＭ１は、暗証番号入力画面を入力操作部３に表示し、顧客に暗証番号の再入力を促す。暗証番号が一致したときは、ホストコンピュータは、当該取引を有効とする。続いて、顧客の希望する出金額を入力するための操作画面が表示される。この操作画面を用いて、顧客により出金額が入力される。顧客により出金額が入力されると、出金額が主制御部１１で編集され、通信制御部１９を経由して、ホストコンピュータに送信される。ホストコンピュータでは、ＡＴＭ１からの電文を受信すると、当該口座ファイルの残高から受信した出金額を減算し新残高とする。未記帳分の通帳記帳データがあれば、新残高とともにＡＴＭ１に送る。ＡＴＭ１では、これを受信すると、通帳記帳部１４で取り込んだ通帳にホストコンピュータから受信した記帳データを印刷する。
【００２２】
同時に、紙幣入出金部１６では、ＡＴＭ１内部の図示しない保管庫から紙幣を取り出し、計数し、紙幣投入取出口４に紙幣を繰り出す。硬貨入出金部１７も同様に、保管庫から硬貨を取り出し、計数し、硬貨投入取出口５に硬貨を繰り出す。次に、入力操作部３には、通帳、キャッシュカード及び現金の取り出しを促すメッセージが表示され、顧客は、通帳挿入取出口６、カード挿入取出口７及び紙幣投入取出口４、硬貨投入取出口５から通帳、キャッシュカード及び現金を取り出す。
【００２３】
（取引ロック解除方法の説明）
次に、取引ロック解除方法について説明する。
【００２４】
取引ロック解除方法は、前記制御部１１に格納された図４のフローチャートの処理機能によって実現される。即ち、前記制御部１１により、前記パスワードの誤入力回数が限度を超えてしまって取引がロックされた前記ＩＣカードに対して、一定額の入金を条件に取引のロックを解除する。
【００２５】
具体的には、暗証番号の入力限度回数を超えてしまってロックのかかった媒体であるＩＣカードをカード挿入取出口７に挿入させる（Ｓ１）。ＡＴＭ１は、取引のロックが掛かっているＩＣカードであると判断すると、入金取引処理に移行する。
【００２６】
次いで、入金取引処理をする（Ｓ２）。具体的には、ＬＣＤ画面表示部１２に一定額の入金を促す内容を表示して、顧客に一定額を入金させる。
【００２７】
次いで、入金取引が成立したか否か判断する（Ｓ３）。顧客が一定額を入金しない等により入金取引が成立しないときは、処理を終了する。入金取引が成立したときは、ＩＣカードの取引のロックを解除して、ＩＣカードを返却する（Ｓ４）。
【００２８】
（効果の説明）
以上のように、暗証番号の入力限度回数を超えてロックされた媒体であるＩＣカードに対して、ＡＴＭ１から取引のロックを解除できるため、銀行等の窓口を通した取引のロックの解除が不要になる。この結果、顧客の利便性が向上する。
【００２９】
さらに、第３者が他人のＩＣカードを不正に使用して出金しようとするときにも、効果的である。第３者は、暗証番号を知らないため、複数の暗証番号を入力してみることになる。このとき、暗証番号の誤入力回数が限度を超えたとき、一定額の入金を要求されるが、第３者は暗証番号を知らないため、入金するとそのお金を取り戻せない可能性が高いため、躊躇してしまう。
【００３０】
このため、十分な防犯機能を備えた状態で、取引のロックを容易に解除することができ、顧客にとって極めて利便性の高いＩＣカードを提供することができる。
【００３１】
[第２実施形態]
次に本発明の第２実施形態について説明する。
【００３２】
本実施形態の現金取引装置は、前記第１実施形態の現金取引装置と同様の構成を有するため、以下では、本発明の特徴部分を中心に説明する。本実施形態では、制御部１１に、取引のロックの回数をカウントする機能が追加されている。さらに、制御部１１は、前記機能により、ＩＣカードの取引のロックを解除する際に、取引ロック解除回数をカウントすると共に、前記入金の額を、取引ロック解除回数に応じて増額する処理機能が設けられている。具体的には、前記第１実施形態の図４のフローチャートの処理機能の代わりに、図５のフローチャートの処理機能が制御部１１に設けられている。
【００３３】
（取引ロック解除方法の説明）
次に、取引ロック解除方法について説明する。本実施形態の取引ロック解除方法は、前記制御部１１に格納された図５のフローチャートの処理機能によって実現される。即ち、前記制御部１１により、前記ＩＣカードの取引のロックを解除する際に、取引ロック解除回数をカウントすると共に、前記入金の額を、取引ロック解除回数に応じて増額する。
【００３４】
具体的には、暗証番号の入力限度回数を超えてしまってロックのかかった媒体であるＩＣカードをカード挿入取出口７に挿入させる（Ｓ１１）。ＡＴＭ１は、取引のロックが掛かっているＩＣカードであると判断すると、入金取引処理に移行する。
【００３５】
次いで、ＩＣカードの取引ロック解除回数に応じて入金金額を決定する（Ｓ１２）。取引ロック解除回数が少ないときは入金金額を少額に設定し、解除回数が多いときは入金金額を高額に設定する。
【００３６】
次いで、入金取引処理をする（Ｓ１３）。具体的には、ＬＣＤ画面表示部１２にＳ１２で決定した金額の入金を促す内容を表示して、顧客に前記決定額を入金させる。
【００３７】
次いで、入金取引が成立したか否か判断する（Ｓ１４）。顧客が前記決定額を入金しない等により入金取引が成立しないときは、処理を終了する。入金取引が成立したときは、ＩＣカードのロックを解除して、ＩＣカードを返却する（Ｓ１５）。
【００３８】
次いで、ＩＣカードの取引ロック解除回数を１つ増加させて記録し処理を終了する（Ｓ１６）。
【００３９】
（効果の説明）
以上のように、暗証番号の入力限度回数を超えてロックされた媒体であるＩＣカードを、ＡＴＭからロックを解除できるため、銀行等の窓口を通したロックの解除が不要になる等、前記第１実施形態と同様の効果を奏する。
【００４０】
[第３実施形態]
次に本発明の第３実施形態について説明する。
【００４１】
本実施形態の現金取引装置は、前記第１実施形態の現金取引装置と同様の構成を有するため、以下では、本発明の特徴部分を中心に説明する。本実施形態では、制御部１１に、取引のロックの回数をカウントする機能が追加されている。さらに、制御部１１は、前記機能により、ＩＣカードの取引のロックを解除する際に、取引ロック解除回数をカウントし、取引ロック解除回数に応じて取引制限をすると共に、入金の額を、取引ロック解除回数に応じて増額する処理機能が設けられている。具体的には、前記第１実施形態の図４のフローチャートの処理機能の代わりに、図６のフローチャートの処理機能が制御部１１に設けられている。
【００４２】
（取引ロック解除方法の説明）
次に、取引ロック解除方法について説明する。本実施形態の取引ロック解除方法は、前記制御部１１に格納された図６のフローチャートの処理機能によって実現される。即ち、前記制御部１１により、前記パスワードの誤入力回数が限度を超えた際に、１回目のロックのとき出金の取引をロックする第１処理と、２回目のロックのとき出金と振込の取引をロックする第２処理と、３回以上のロックのとき全ての取引をロックして一定額の入金を促す表示をする第３処理とを適宜行う。
【００４３】
具体的には、ＩＣカードをカード挿入取出口７に挿入して暗証番号を入力する際に、暗証番号の誤入力が、一定回数を超えたか否かを判断する（Ｓ２１）。一定回数を超える前に正確な暗証番号が入力された場合は、通常取引を行う（Ｓ２２）。
【００４４】
暗証番号の誤入力が、一定回数を超えた場合は、それが１回目の回数超えか否かを判断する（Ｓ２３）。１回目の回数超えである場合は、後述するＳ２５へ進む。
【００４５】
２回目以降の回数超えである場合は、１回目の取引のロックか否かを判断する（Ｓ２４）。１回目の取引のロックの場合は、「出金」のみをロックし（Ｓ２５）、ロック解除したか否かを判断する（Ｓ２６）。ここで、ＬＣＤ画面表示部１２には、顧客にロックを解除するか否かを確認する表示をする。顧客は、ロックを解除したいときはその旨の操作をする。
【００４６】
Ｓ２６の判断で、ロックが解除された場合は、ＬＣＤ画面表示部１２に暗証番号を再度入力する処理画面を表示して（Ｓ２７）、Ｓ２１に戻る。
【００４７】
一方、Ｓ２４で１回目の取引のロックでないと判断した場合は、２回目の取引のロックか否かを判断する（Ｓ２８）。２回目の取引のロックの場合は、「出金」と「振込」のみをロックし（Ｓ２９）、Ｓ２６に進む。３回目以降の取引のロックの場合は、全ての取引をロックし（Ｓ３０）、Ｓ３１に進む。また、Ｓ２６で顧客がロックを解除しなかった場合もＳ３１に進む。
【００４８】
Ｓ３１では、ロック解除回数に応じた金額の入金を促す内容をＬＣＤ画面表示部１２に表示する。
【００４９】
次いで、入金取引が成立したか否か判断する（Ｓ３２）。顧客が前記決定額を入金しない等により入金取引が成立しないときは、処理を終了する。入金取引が成立したときは、ＩＣカードのロックを解除して、ＩＣカードを返却すると共に、ＩＣカードの取引ロック解除回数を１つ増加させて記録し処理を終了する（Ｓ３３）。
【００５０】
（効果の説明）
以上のように、暗証番号の入力限度回数を超えてロックされた媒体を、ＡＴＭからロックを解除できるため、窓口を通したロックの解除が不要になる。
【００５１】
また、上記第１及び第２実施形態では、暗証番号の誤入力が一定回数に達してしまうと全ての取引が出来ないように設定したが、本実施形態では、顧客が「入金」や「残高照会」をしたい場合は、２回目のロックまでは許容されることになるので、顧客の利便性が向上する。つまり、「入金」や「残高照会」を行いたい顧客はロックを解除するために入金をするという手間が省ける。
【００５２】
[変形例]
上記各実施形態では、限度を超えたとき、一定額の入金を促す内容のみをＬＣＤ画面表示部１２に表示したが、これと共に、記録されたロックの回数を解除したいときは担当窓口へ行くようにＬＣＤ画面表示部１２に表示するようにしてもよい。
【００５３】
また、前記制御部１１に、前記パスワードの誤入力回数が限度を超えた際に、管理部に報知する警報機能を備えてもよい。この場合、制御部１１の警報機能により、管理部に設置された警報ブザー等が鳴動されて、管理部に控えた担当者に注意を促す。担当者は、必要に応じて、ＡＴＭ１の顧客のもとに行って案内等を行うことができる。
【００５４】
前記第３実施形態では、１回目のロック、２回目以降のロックで制限する内容を変えたが、この際のロックの回数としては、１取引内でのロックの回数を用いてもよく、過去のロックの回数を用いてもよい。ただし、過去のロックの回数を考慮する場合は、ロックが３回以上の人は常に全てのロックが掛かってしまうため、この場合は、Ｓ２８の回数を３回目以上に設定する。
【００５５】
また、本発明の態様としては、上述した実施形態及び変形例に限定されるものではなく、当業者が想到しうる種々の変形、各実施形態及び変形例の組み合わせも含むものであり、本発明の効果も上述した内容に限定されない。すなわち、特許請求の範囲に規定された内容およびその均等物から導き出される本発明の概念的な思想と趣旨を逸脱しない範囲で種々の追加、変更、組み合わせおよび部分的削除等が可能である。
【符号の説明】
【００５６】
１：ＡＴＭ、２ａ：操作面、２ｂ：投入面、２ｃ：挿入面、３：入力操作部、４：紙幣投入取出口、５：硬貨投入取出口、６：通帳挿入取出口、７：カード挿入取出口、８：スピーカ、１１：制御部、１２：ＬＣＤ画面表示部、１３：タッチパネル入力部、１４：通帳記帳部、１５：カードリーダ・ライタ部、１６：紙幣入出金部、１７：硬貨入出金部、１８：近接センサ、１９：通信制御部、２０：音声案内部、２１：補助記憶装置、２２：タイマ部。
【図１】
2014139746.tif 000003
【図２】
2014139746.tif 000004
【図３】
2014139746.tif 000005
【図４】
2014139746.tif 000006
【図５】
2014139746.tif 000007
【図６】
2014139746.tif 000008